(57)【要約】【課題】ユーザの耳の形状や大きさにかかわらず、装着時に適度なフィット感を得ることが可能なイヤホンを提供する。【解決手段】スピーカが取り付けられるイヤホン本体２と、イヤホン本体２の端部に回動自在に取り付けられ前記イヤホン本体に対する取り付け角度が調整可能な耳掛け部材３と、によって耳を挟んでイヤホンが耳に固定される耳掛け式のイヤホンに、イヤホン本体２に対する取り付け角度が小さくなる方向に耳掛け部材３を付勢する板バネ１６と、板バネ１６から耳掛け部材３に作用される付勢力を調整する調節ネジ１７を設ける。【選択図】図４
2004357198.tif 000002
【特許請求の範囲】
【請求項１】
スピーカが取り付けられるイヤホン本体と、
前記イヤホン本体の端部に回動自在に取り付けられ、前記イヤホン本体に対する取り付け角度が調整自在にされる一部または全部が弾性部材からなる耳掛け部材と、
前記イヤホン本体に対する前記耳掛け部材の取り付け角度が小さくなる方向に前記耳掛け部材を付勢する付勢部材と、
前記付勢部材の付勢力を調整する調整手段と、を備えたことを特徴とするイヤホン。
【請求項２】
前記付勢部材は、自由端側で前記耳掛け部材の回動軸を構成するカム状部材の周面に圧接するように、前記イヤホン本体に片持ち状に配設された板バネであり、
前記調整手段は、前記板バネにおける前記カム状部材との圧接部よりも固定端側の板面を押圧するように前記イヤホン本体に配設され、前記板バネから前記カム状部材の周面に対して加えられる力を調整する調節ネジであることを特徴とする請求項１に記載のイヤホン。
【発明の詳細な説明】
【０００１】
【発明の属する技術分野】
この発明は、音声を出力するイヤホンに関し、特に耳介に引掛かる耳掛け部材を備えた耳掛け方式のイヤホンに関する。
【０００２】
【従来の技術】
イヤホンは小型で携帯性に優れているため様々な用途に使用することができる。例えば、電車の中や図書館等の公共の場においても、イヤホンを用いることにより周囲に迷惑をかけることなく音声を聴くことが可能になる。
【０００３】
さらに、近年では耳介の上部に引掛かる耳掛け部材を備え、この耳掛け部材を用いてイヤホンを安定した状態で耳に固定する耳掛け式イヤホンが登場しており、ポータブルＭＤやポータブルＣＤ等の携帯型オーディオ装置に広く用いられるようになった（例えば、特許文献１参照。）。この耳掛け式のイヤホンによれば、安定した状態で耳介の外周に耳掛け部材が引っ掛かり、イヤホンを装着して移動しながら音声を聴くときにも、イヤホンが耳から簡単に脱落することを防止することが可能になる。
【０００４】
【特許文献１】
特開平１０−２４３４９２号公報
【発明が解決しようとする課題】
しかしながら、上述の従来の耳掛け式イヤホンでは、耳介の外周に適正に引っ掛かるように耳掛け部材が湾曲するように形成されているものの、ユーザの耳の形状や大きさ等によっては、装着時に適当なフィット感を得ることができないという不都合があった。
【０００５】
すなわち、耳掛け式イヤホンでは耳掛け部材とイヤホン本体との間に耳介が挟み込まれる構成上、人によっては耳掛け部材とイヤホン本体とによって耳介が強く挟み込まれて痛みを感じることがあり、また逆に、挟み込まれる力が弱すぎてイヤホンが耳から脱落することがあった。
【０００６】
この発明の目的は、ユーザの耳の形状や大きさにかかわらず、装着時に適度なフィット感を得ることが可能なイヤホンを提供することである。
【０００７】
【課題を解決するための手段】
この発明は以下の構成を備えている。
【０００８】
（１）スピーカが取り付けられるイヤホン本体と、
前記イヤホン本体の端部に回動自在に取り付けられ、前記イヤホン本体に対する取り付け角度が調整自在にされる一部または全部が弾性部材からなる耳掛け部材と、
前記イヤホン本体に対する前記耳掛け部材の取り付け角度が小さくなる方向に前記耳掛け部材を付勢する付勢部材と、
前記付勢部材の付勢力を調整する調整手段と、を備えたことを特徴とする。
【０００９】
この構成においては、耳に引っ掛かる耳掛け部材がイヤホン本体の端部に回動自在に支持されており、装着時にはイヤホン本体に対して耳掛け部材が任意の角度で開かれ、イヤホン本体と耳掛け部材との間に耳が挟み込まれることで耳に固定されるイヤホンで、イヤホン本体に対する前記耳掛け部材の取り付け角度が小さくなる方向に力を加える付勢部材の付勢力が調整手段によって調整される。
【００１０】
したがって、イヤホンを使用する時にイヤホン本体と耳掛け部材とによるユーザの耳を挟む力の強さがユーザの任意の強さに調整されるため、ユーザの耳の形状や大きさにかかわらず、イヤホン装着時に過不足のない適度なフィット感が得られる。
【００１１】
（２）前記付勢部材は、自由端側で前記耳掛け部材の回動軸を構成するカム状部材の周面に圧接するように、前記イヤホン本体に片持ち状に配設された板バネであり、
前記調整手段は、前記板バネにおける前記カム状部材との圧接部よりも固定端側の板面を押圧するように前記イヤホン本体に配設され、前記板バネから前記カム状部材の周面に対して加えられる力を調整する調節ネジであることを特徴とする。
【００１２】
この構成においては、片持ち状に配設される板バネの自由端側が耳掛け部材の軸部に含まれるカム状部材の周面に圧接することにより、板バネの弾性力が耳掛け部材の回転を規制する力として作用する。そして、板バネからカム状部材の周面に対して加えられる力の大きさが調節ネジによって調整される。
【００１３】
したがって、イヤホン本体と耳掛け部材によってユーザの耳を挟む力の強さが簡易な構成で適正に調整される。特に、片持ち状に配設される板バネにおいて、カム状部材との圧接点よりも固定端側に調節ネジが圧接することにより、板バネにおける調節ネジとの圧接点が変位し、この圧接点より自由端側にあるカム状部材との圧接点における板バネの反力の強さが容易に調整されるため、板バネとカム状部材との圧接力の調整が調節ネジによって容易にかつ確実に行われる。
【００１４】
【発明の実施の形態】
以下、図を用いて本発明のイヤホンの実施形態を説明する。図１は、本実施形態におけるイヤホンの構成を示している。図１（ａ）は、装着時に耳と接触する側の反対側（外側）の構成を示しており、図１（ｂ）は、装着時に耳と接触する側（内側）の構成を示している。これらの図に示すように、イヤホン１は、スピーカが取り付けられるイヤホン本体２と、イヤホン本体２の端部に回動可能な状態で一端が支持される耳掛け部材３とを備えている。
【００１５】
耳掛け部材３は、イヤホン１を耳に固定するため部材であり一部または全部が弾性体によって構成されている。また、耳掛け部材３の他端側には、耳の外周形状に適合するように湾曲した形状に形成されたフック部が形成されている。
【００１６】
イヤホン本体２は、装着時に外側に位置する上ケース１１と、装着時に内側に位置する下ケース１２とで構成される筐体を備えており、この筐体によってイヤホン本体の内部構造が被覆される。
【００１７】
上ケース１１には、装着時のイヤホン本体２と耳掛け部材３とによってユーザの耳を挟み込む力（挟持力）の強さを調整するための調節ネジ１７がねじ込まれる図示しない孔が形成される。このため、調節ネジ１７が上ケース１１に取り付けられると、調節ネジ１７の軸部が上ケース１１に形成された孔を介してイヤホン本体２の内部に導き入れられ、調節ネジ１７の頭部がイヤホン本体２の外部に露出する。これに対して、下ケース１２はイヤホン１の装着時には下ケース１２は耳孔に対向するように配置される。また、下ケース１２は耳との当接面にスポンジ状のクッション材が配設されている。
【００１８】
図２は、イヤホン１の内部構成を示す図である。下ケース１２における図示しないスピーカ取り付け部に、音声を出力するスピーカユニット１３が取り付けられる。また、下ケース１２における所定の位置に、一端が固定端になり他端を自由端になるように片持ち状に弾性部材からなる板バネ１６が配設されている。ここで、板バネ１６を下ケース１２に固定する際に、上ケース１１に形成された孔を介してイヤホン本体２の内部に導き入れられた調節ネジ１７の軸部の先端が板バネ１６の固定端側の位置に接触するように板バネ１６が配置される。なお、板バネ１６を固定部１６ａにおいて下ケース１２にねじ止めするように構成してもよく、また、板バネ１６と下ケース１２とをカシメ加工によって固定することも可能であり、板バネ１６の固定方法が特定の方法に限定されることはない。
【００１９】
図３（ａ）は、本実施形態におけるイヤホン１の構成を示す断面図であり、図３（ｂ）は、耳掛け部材３の軸部３ａ近傍の構成を示す要部拡大図である。これらの図に示すように、板バネ１６は長方形の板状体であるが、その断面の一部に湾曲部を有している。この湾曲部は、板バネ１６を下ケース１２に固定する際に自由端側に配置される。
【００２０】
耳掛け部材３は、イヤホン本体２における下ケース１２に配設された支点軸１５に軸支される。具体的には、耳掛け部材３の端部においてカム状に形成された軸部３ａが支点軸１５に軸支される。軸部３ａの支点軸１５の軸方向に直交する断面の形状は、周面の一部に三角形状の突起部が形成された円形を呈しており、支点軸１５を介して下ケース１２に固定されている。
【００２１】
ここで、耳掛け部材３は、板バネ１６の自由端側に形成された湾曲部に周面が圧接するように配置される。軸部３ａの周面は、常時、板バネ１６に圧接している。このため、板バネ１６の弾性力は軸部３ａを回転させないように耳掛け部材の回転を規制する力となって軸部３ａに伝達される。
【００２２】
イヤホン１を耳に装着する際に耳掛け部材３を矢印Ａの方向に開いて、イヤホン本体２に対する耳掛け部材３の取り付け角度を大きくすると、イヤホン本体２に対する耳掛け部材３の取り付け角度が小さくなる方向に板バネ１６の弾性力による力が耳掛け部材３に作用する。これにより、耳掛け部材３のフック部がユーザの耳介の外周に引っ掛かった状態で、耳掛け部材３とイヤホン本体２とによってユーザの耳が挟み込まれる。
【００２３】
ここで、耳掛け部材３とイヤホン本体２とによってユーザの耳を挟み込む強さは、板バネ１６の弾性力によって決定される。このため、本発明では耳掛け部材３に作用する板バネ１６の弾性力を調節ネジ１７によって調整することにより、イヤホン１の装着時に適度なフィット感が得られるようにしている。
【００２４】
図４は、調節ネジ１７によって板バネ１６の弾性力を調整している状態を示している。上述のように、上ケース１１の孔にねじ込まれた調節ネジ１７の先端は、板バネ１６の板面を略直角に押圧する。本実施形態では、外部に露出した調節ネジ１７の頭部を回転させてイヤホン本体２の内部にねじ込まれる調節ネジ１７の軸部の量を変えることによって、板バネ１６における調節ネジ１７との圧接点の変位量を調整している。そして、板バネ１６における調節ネジ１７との圧接点が変位するのに伴って、自由端側の軸部３ａの周面との圧接点も変位するため、軸部３ａの周面が受ける板バネ１６からの反力の強さを調整することが可能になる。また、板バネ１６における調節ネジ１７との圧接点が変位することにより、板バネ１６の自由端側の可動量を調整することも可能になる。
【００２５】
次に、本実施形態におけるイヤホン１の使用方法を説明する。図４は、装着時における耳掛け部材３の状態を示している。耳掛け部材３を耳介に引っ掛けてイヤホン１を耳に装着する際には、耳掛け部材３を支点軸を中心に回転させてイヤホン本体２と耳掛け部材３との間に耳介を配置させる。このとき、板バネ１６がの湾曲部が常に軸部３ａの周面に接触し、イヤホン本体２に対する耳掛け部材３の取り付け角度が小さくなる方向の力を軸部３ａ加えているため、自然に耳掛け部材３とイヤホン本体２との間の取り付け角度が狭められてイヤホン１が耳に安定した状態に固定される。
【００２６】
イヤホン１を装着したユーザは、イヤホン１のフィット感に違和感を感じるときは、上ケース１１の外部に露出した調節ネジ１７の頭部を回転させることで、イヤホン本体２と耳掛け部材３が耳を挟み込み力の強さを調整することができる。同図に示す矢印Ｂ１方向に調節ネジ１７をねじ込むと、矢印Ｂ１の方向に板バネ１６が変位するため、板バネ１６の湾曲部に圧接する耳掛け部材３が定位置に戻りにくくなり、イヤホン本体２と耳掛け部材３が耳を挟み込み力の強さが弱くなる。
【００２７】
反対に、同図に示す矢印Ｂ２方向に調節ネジ１７を抜き出すと、矢印Ｂ２の方向に板バネ１６が変位するため、板バネ１６の湾曲部に圧接する耳掛け部材３が定位置に戻り易くなり、イヤホン本体２と耳掛け部材３が耳を挟み込み力の強さが強くなる。
【００２８】
本実施形態では、調節ネジ１７を用いて板バネ１６から軸部３ａの加えられる力の強さや方向を変えるという簡易な構成で、イヤホン１のフィット感を適度に調整し耳が痛くなる等の不快感が解消できる。このため、本実施形態によれば、発明の使用者個々の耳の形状、大きさ等の違いにあわせて、耳掛け部材３の圧着力を最適の状態に調整することが可能になる。
【００２９】
【発明の効果】
以上のように、この発明によれば、以下の効果を奏することができる。
【００３０】
（１）耳に引っ掛かる耳掛け部材がイヤホン本体の端部に回動自在に支持されており、装着時にはイヤホン本体に対して耳掛け部材を任意の角度で開き、イヤホン本体と耳掛け部材との間に耳を挟み込んで耳に固定されるイヤホンで、イヤホン本体に対する前記耳掛け部材の取り付け角度が小さくなる方向に力を加える付勢部材の付勢力を調整する調整手段を備えたことにより、イヤホンを使用する時にイヤホン本体と耳掛け部材とによるユーザの耳を挟む力の強さをユーザの任意の強さに調整できるため、ユーザの耳の形状や大きさにかかわらず、イヤホン装着時に過不足のない適度フィット感を得ることが可能になる。
【００３１】
（２）片持ち状に配設される板バネの自由端側が耳掛け部材の軸部に含まれるカム状部材の周面に圧接することにより、板バネの弾性力を耳掛け部材の回転を規制する力として作用させるとともに、板バネからカム状部材の周面に対して加えられる力の大きさを調節ネジによって調整することにより、イヤホン本体と耳掛け部材によってユーザの耳を挟む力の強さを簡易な構成で適正に調整することが可能になる。特に、片持ち状に配設される板バネにおいて、カム状部材との圧接点よりも固定端側に調節ネジを圧接させることにより、板バネにおける調節ネジとの圧接点を変位させて、この圧接点より自由端側にあるカム状部材との圧接点における板バネの反力の強さを容易に調整できるため、板バネとカム状部材との圧接力の調整が調節ネジによって容易にかつ確実に行われる。
【００３２】
よって、ユーザの耳の形状や大きさにかかわらず、装着時に適度なフィット感を得ることが可能なイヤホンを提供することができる。
【図面の簡単な説明】
【図１】本発明のイヤホンの外観構成を示す図である。
【図２】本発明のイヤホンの内部構成を示す図である。
【図３】本発明のイヤホンの内部構成を示す断面図である。
【図４】本発明のイヤホンの動作の一例を示す断面図である。
【符号の説明】
１−イヤホン
２−イヤホン本体
３−耳掛け部材
３ａ−軸部
１１−上ケース
１２−下ケース
１５−支点軸
１６−板ばね
１７−調節ネジ
【図１】
2004357198.tif 000003
【図２】
2004357198.tif 000004
【図３】
2004357198.tif 000005
【図４】
2004357198.tif 000006